(57)【要約】  情報表示システムは、信号受信部と、データコードと、画像表示信号に基づき表示画像を表示する画像メモリ型表示媒体とを備えるタグと、信号受信部と接触される接触電極部と、データコードおよび画像メモリ型表示媒体の表示画像を認識する情報認識部と、データコードに含まれる情報と対応する画像表示情報およびデータコードの情報が記憶されたメモリと、画像表示情報に基づく画像表示信号を接触電極部を介して送信する書込み部とを備えるリーダーライタとを有する。情報認識部がデータコードを読み取り、データコードに含まれる情報を得、メモリに記憶されたデータコードの情報と比較して一致する場合、書込み部が画像表示信号を接触電極部を介して送信し画像メモリ型表示媒体に表示画像を表示させ、送信後情報認識部が表示画像を確認する。
2016194657.tif 000002
【特許請求の範囲】
【請求項１】
信号受信部と、データコードと、画像表示信号に基づき表示画像を表示する画像メモリ型表示媒体とを備えるタグと、
前記信号受信部と接触される接触電極部と、前記データコードおよび前記画像メモリ型表示媒体の表示画像を認識する情報認識部と、前記データコードに含まれる情報と対応する画像表示情報およびデータコードの情報が記憶されたメモリと、前記画像表示情報に基づく画像表示信号を前記接触電極部を介して送信する書込み部とを備えるリーダーライタとを有し、
前記リーダーライタでは、前記タグの前記信号受信部と前記リーダーライタの前記接触電極部とが接触した場合、前記リーダーライタの前記情報認識部が前記データコードを読み取り、前記データコードに含まれる情報を得て、前記情報認識部が読み取られた前記データコードに含まれる情報と前記メモリに記憶されたデータコードの情報とを比較し、前記メモリに記憶された前記データコードと一致する場合、前記書込み部が前記メモリに記憶された前記データコードに含まれる画像表示情報に基づく前記画像表示信号を前記接触電極部を介して送信し前記画像メモリ型表示媒体に前記表示画像を表示させ、送信後前記情報認識部が前記表示画像を確認することを特徴とする情報表示システム。
【請求項２】
前記情報認識部が読み取られた前記データコードに含まれる情報と前記メモリに記憶されたデータコードの情報とを比較し、前記メモリに記憶されたデータコードと不一致の場合、警告を発する請求項１に記載の情報表示システム。
【請求項３】
前記データコードは、バーコード、文字、または記号で構成される請求項１または２に記載の情報表示システム。
【請求項４】
前記情報認識部は、光学式読取部を有する請求項１〜３のいずれか１項に記載の情報表示システム。
【請求項５】
前記光学式読取部は、画像センサまたはレーザスキャナを有する請求項４に記載の情報表示システム。
【請求項６】
前記画像メモリ型表示媒体は前記リーダーライタからの給電により前記表示画像を表示するものであり、前記リーダーライタは、前記画像メモリ型表示媒体に給電するための電力供給部を有する請求項１〜５のいずれか１項に記載の情報表示システム。
【発明の詳細な説明】
【技術分野】
【０００１】
本発明は、電子ペーパ等の画像メモリ型表示媒体を備えたタグを用いた情報表示システムに関し、特に、画像表示信号を接触式で画像メモリ型表示媒体に送信し、構成が簡単、かつ誤表示を防止することができる情報表示システムに関する。
【背景技術】
【０００２】
従来から、タグに商品名、値段等の記入は手書きでなされていた。また、病院において投薬の際、患者毎に使用する薬剤にタグを設け、投薬の際、タグに患者の名前を手書きで書き込むことがなされている。近年、タグに電子ペーパが用いられており、タグへの書き込みは手書きではなく、書込みを行うシステムが提案されている。【０００３】
特許文献１には、複数枚の電子ペーパを、電子ペーパ同士の位置関係に基づいて書き換えること可能とする書き換えシステムが記載されている。
特許文献１の書き換えシステムでは、電子ペーパは、識別情報が予め割り当てられているとともに、表示内容を書き換えるための書き換え情報を受信して、受信した書き換え情報に書き換える。書き換え装置は、位置を各電子ペーパ毎に検出する検出手段と、識別情報を取得する取得手段と、取得された電子ペーパの識別情報と、検出された電子ペーパの位置とを関連づける関連手段と、複数の電子ペーパの表示内容を書き換えるために各々の電子ペーパに対応して予め用意された書き換え情報が記憶された記憶手段と、各々の電子ペーパの表示内容を書き換える際に、電子ペーパの位置に関連手段により関連づけられた識別情報を付与した当該電子ペーパに対応する記憶された書き換え情報を当該電子ペーパに送信することにより、各々の電子ペーパの表示内容を書き換えさせる。
【先行技術文献】
【特許文献】
【０００４】
【特許文献１】特開２００９−７５１４６号公報
【発明の概要】
【発明が解決しようとする課題】
【０００５】
タグを手書きで書き込む場合、書き間違えが生じるという問題点があり、商品名、値段等が違って表示されたり、薬剤の場合には、誤投薬につながる。
また、特許文献１の書き換えシステムでは、複数枚の電子ペーパを、電子ペーパ同士の位置関係に基づいて書き換えることができるが、無線通信部を備えており、書き換え装置の構成のみならず電子ペーパの構成が複雑になるという問題点がある。【０００６】
本発明の目的は、前述の従来技術に基づく問題点を解消し、構成が簡単、かつ誤表示を防止することができる情報表示システムを提供することにある。
【課題を解決するための手段】
【０００７】
上述の目的を達成するために、本発明の態様は、信号受信部と、データコードと、画像表示信号に基づき表示画像を表示する画像メモリ型表示媒体とを備えるタグと、信号受信部と接触される接触電極部と、データコードおよび画像メモリ型表示媒体の表示画像を認識する情報認識部と、データコードに含まれる情報と対応する画像表示情報およびデータコードの情報が記憶されたメモリと、画像表示情報に基づく画像表示信号を接触電極部を介して送信する書込み部とを備えるリーダーライタとを有し、リーダーライタでは、タグの信号受信部とリーダーライタの接触電極部とが接触した場合、リーダーライタの情報認識部がデータコードを読み取り、データコードに含まれる情報を得て、情報認識部が読み取られたデータコードに含まれる情報とメモリに記憶されたデータコードの情報とを比較し、メモリに記憶されたデータコードと一致する場合、書込み部がメモリに記憶されたデータコードに含まれる画像表示情報に基づく画像表示信号を接触電極部を介して送信し画像メモリ型表示媒体に表示画像を表示させ、送信後情報認識部が表示画像を確認することを特徴とする情報表示システムを提供するものである。【０００８】
情報認識部が読み取られたデータコードに含まれる情報とメモリに記憶されたデータコードの情報とを比較し、メモリに記憶されたデータコードと不一致の場合、警告を発することが好ましい。
例えば、データコードは、バーコード、文字、または記号で構成される。
例えば、情報認識部は、光学式読取部を有する。光学式読取部は、画像センサまたはレーザスキャナを有することが好ましい。
また、画像メモリ型表示媒体はリーダーライタからの給電により表示画像を表示するものであり、リーダーライタは、画像メモリ型表示媒体に給電するための電力供給部を有することが好ましい。
【発明の効果】
【０００９】
本発明によれば、構成を簡単にでき、かつ誤表示を防止することができる。
【図面の簡単な説明】
【００１０】
【図１】本発明の実施形態の情報表示システムを示す模式図である。
【図２】本発明の実施形態の情報表示システムのタグを示す模式図である。
【図３】タグの使用形態の第１例を示す模式的斜視図である。
【図４】タグの使用形態の第２例を示す模式的斜視図である。
【図５】タグの使用形態の第３例を示す模式的平面図である。
【図６】本発明の実施形態の情報表示システムのタグの構成を示すブロック図である。
【図７】本発明の実施形態の情報表示システムのリーダーライタの構成を示すブロック図である。
【図８】本発明の実施形態の情報表示システムによる表示画像の書込みの一例を工程順に示すフローチャートである。
【発明を実施するための形態】
【００１１】
以下に、添付の図面に示す好適実施形態に基づいて、本発明の情報表示システムを詳細に説明する。
図１は本発明の実施形態の情報表示システムを示す模式図であり、図２は本発明の実施形態の情報表示システムのタグを示す模式図である。図３はタグの使用形態の第１例を示す模式的斜視図であり、図４はタグの使用形態の第２例を示す模式的斜視図であり、図５はタグの使用形態の第３例を示す模式的平面図である。
【００１２】
図１に示すように情報表示システム１０は、タグ１２と、リーダーライタ１４とを有する。
タグ１２は、対象物に取り付けて使用されるものであり、対象物の情報を有する。
タグ１２は、例えば、図３に示すように、容器１６ａに貼り付けられて使用される。容器１６ａは、内部に、気体、液体、固体またはこられのうち、少なくとも２種の混合物が充填されたものである。例えば、容器１６ａは輸液バッグである。
また、タグ１２は、図４に示すように、円筒容器１６ｂに貼り付けられて使用される。円筒容器１６ｂは、内部に、気体、液体、固体またはこられのうち、少なくとも２種の混合物が充填されたものである。例えば、円筒容器１６ｂはプレフィルドシリンジである。
また、タグ１２は、図５に示すように、フィルム状または平板状のシート１６ｃに貼り付けられて、値札、商品タグとして使用される。タグ１２は、値札、商品タグ以外に、入場券、回数券等にも利用することができる。
【００１３】
図１および図２に示すタグ１２は、信号受信部２０とデータコード２２と画像メモリ型表示媒体２４とを有し、これらはシート体２６に設けられている。
信号受信部２０は、画像メモリ型表示媒体２４への画像表示信号の供給に利用されるものである。信号受信部２０は、例えば、２つの電極２１で構成される。
データコード２２は、タグ１２が設けられる対象物の情報を有する。データコード２２は、例えば、バーコードで構成されるものであるが、これに限定されるものではない。例えば、文字または記号、文字と記号の組合せで構成されるものである。データコード２２は、例えば、印刷等により形成される。
データコード２２がリーダーライタ１４で読み取られ、タグ１２の対象物が特定される。すなわち、タグ１２が何に取り付けているかが特定される。
【００１４】
図６は本発明の実施形態の情報表示システムのタグの構成を示すブロック図である。
画像メモリ型表示媒体２４は画像表示信号に基づき表示画像２８（図２参照）を表示するものであり、一旦表示された表示画像２８が保持されるメモリ性を有する。
画像メモリ型表示媒体２４は、図６に示すように表示制御部２４ａと表示部２４ｂとを有する。画像メモリ型表示媒体２４は、例えば、電子ペーパである。表示制御部２４ａは、図示はしないが、薄膜トランジスタ等で構成される駆動回路、不揮発性の記憶部等を有する。表示部２４ｂは、表示画像２８を表示するためのものである。表示制御部２４ａが信号受信部２０に接続されており、信号受信部２０を介して画像表示信号が供給される。
【００１５】
画像メモリ型表示媒体２４は、表示制御部２４ａに画像表示信号が入力されて、画像表示信号に基づいて、表示部２４ｂに表示画像２８が表示される。表示画像２８は、画像表示信号に基づいて表示されるものであり、表示画像２８には画像のみならず、文字および記号も含まれる。表示画像２８としては、使用者、所有者、商品名および値段等である。
画像メモリ型表示媒体２４が電池等の電源部を備えていない場合、信号受信部２０を介して表示制御部２４ａを駆動させるための予め定められた電圧の直流信号または交流信号が供給される。
【００１６】
タグ１２は、上述のように取り付けられる対象物の情報を示すものである。画像メモリ型表示媒体２４は、画像表示信号の書き換えが可能であっても、画像表示信号の書き換えが不可能であってもよく、特に限定されるものではない。しかしながら、情報保全の観点から、画像メモリ型表示媒体２４は、画像表示信号の書き換えが不可能、すなわち、表示画像２８の書き換えが不可能であることが好ましい。
画像表示信号の書き換えが不可能な方式としては、画像表示信号の書き換え可能型をシステムとして、画像表示信号を書き換え不可能としてもよいし、画像表示信号について物理的に書き換え不可能な表示媒体を用いてもよい。この場合、情報保全の観点から、画像表示信号について物理的に書き換え不可能な表示媒体を用いることが好ましい。
画像表示信号の書き換えが不可能なものの具体的なものとしては、例えば、画像メモリ型表示媒体２４は、書き込みが１度しかできない電子ペーパ、いわゆる、ライトワンスの電子ペーパが好ましい。ライトワンスの電子ペーパは、例えば、画像メモリ型表示媒体２４の表示制御部２４ａの記憶部への画像表示信号の書込みを１度に制限したり、電子ペーパの表示方式を感熱方式とすることで実現することができる。
【００１７】
電子ペーパには、例えば、マイクロカプセル方式、電気泳動方式、液晶方式、電子粉流体、エレクトロウェッティング方式、化学変化方式、感熱材料方式を用いたもの等を利用することができる。
画像メモリ型表示媒体２４には、液晶表示装置を用いることもできる。
【００１８】
図７は本発明の実施形態の情報表示システムのリーダーライタの構成を示すブロック図である。リーダーライタ１４は、筐体１８（図１参照）内に、図７に示す構成が収納されている。
リーダーライタ１４は、接触電極部３０、情報認識部３２、書込み部３４、画像表示信号作成部３６、メモリ３８および制御部４０と操作部４２を有する。リーダーライタ１４では制御部４０により、接触電極部３０、情報認識部３２、書込み部３４、画像表示信号作成部３６、およびメモリ３８の動作、ならびにこれらの間でのデータの送受信が制御される。
【００１９】
操作部４２は、リーダーライタ１４を使用する使用者がリーダーライタ１４に指示入力するためのものである。操作部４２の指示入力が制御部４０に入力されて、リーダーライタ１４では指示入力に応じた動作がなされる。操作部４２は、指示入力することができれば、その構成は特に限定されるものではなく、表示部、操作ボタン、または指示入力に利用されるタッチセンサ等が適宜利用可能である。また、操作部４２では、音声を発生できるようにしてもよい。これにより、音声にて警告を発生させることができる。
【００２０】
接触電極部３０は、信号受信部２０と接触されるものであり、タグ１２との接点となる。接触電極部３０は、信号受信部２０と同じ構成であり、例えば、図示はしないが信号受信部２０（図２参照）の電極２１（図２参照）と同じ構成の電極を有する。
接触電極部３０の導通は制御部４０で監視されており、接触電極部３０が信号受信部２０と接触して導通された場合、情報認識部３２によるデータコード２２の読み取りがなされる。接触電極部３０が信号受信部２０との接触が、リーダーライタ１４の動作のトリガである。なお、導通は、例えば、接触電極部３０の抵抗値の変化により検知することができる。
【００２１】
情報認識部３２は、データコード２２の認識および画像メモリ型表示媒体２４の表示画像２８の確認をするものである。データコード２２の認識および画像メモリ型表示媒体２４の表示画像２８の確認をすることができれば、その構成は特に限定されるものではない。
例えば、情報認識部３２は、光学式読取部５０と、処理部５２と、確認部５４とを有する。光学式読取部５０でデータコード２２および表示画像２８を光学的に読み取る。処理部５２で、光学式読取部５０で得られた読取信号を処理し、例えば、読取信号をデジタル信号に変換し、データコード２２および表示画像２８の読取データを得る。さらに、確認部５４で、画像メモリ型表示媒体２４の表示画像２８が適正なものであるかが確認される。
【００２２】
光学式読取部５０は、例えば、ＣＣＤ（電荷結合素子）センサおよびＣＭＯＳ（相補性金属酸化膜半導体）センサ等の画像センサを有するものである。光学式読取部５０は、例えば、光源と受光素子を備えるレーザスキャナでもよい。レーザスキャナのスキャン方式は１次元の線状でも、２次元の面状でもよく、特に限定されるものではない。
【００２３】
処理部５２は、光学式読取部５０で得られた読取信号を処理し、例えば、読取信号をデジタル信号に変換し、データコード２２および表示画像２８の読取データを得る。さらに、処理部５２は、後述するように読取データに対してデコード処理または光学文字認識処理をするものである。処理部５２で得られた読取データ、または上述の処理後の読取データは、メモリ３８に記憶される。
データコード２２については、バーコードである場合、読取データをデコードすることで、データコード２２の情報が取得される。
データコード２２が、文字もしくは記号、または文字と記号を組み合わせたものである場合には、読取データを光学文字認識処理することで、データコード２２の情報が取得される。
表示画像２８については、読取データを光学文字認識処理することで、表示画像２８の情報が取得される。
【００２４】
情報認識部３２では、データコード２２および表示画像２８の読み取りは、例えば、接触電極部３０の導通後にデータコード２２が読み取られ、接触電極部３０の導通後、かつ画像表示信号の送信後に表示画像２８を読み取るように制御部４０で制御される。このため、データコード２２と表示画像２８とがいずれも文字、記号を含む場合でも、データコード２２と表示画像２８に対して適正な処理を行うことができる。
なお、データコード２２と表示画像２８とはタグ１２での位置が異なるため、データコード２２と表示画像２８の読み取り位置を予め決めておき、それぞれ予め決めた位置で読み取りを行う。これにより、データコード２２と表示画像２８を間違いなく読み取ることができる。
【００２５】
確認部５４は、情報認識部３２で得られたデータコード２２に含まれる情報と、メモリ３８に記憶されたデータコードの情報を比較し、情報認識部３２で得られたデータコード２２とメモリ３８に記憶されたデータコードとの一致不一致を判定するものである。これにより、タグ１２への誤表示を防止することができる。
読み取られたタグ１２のデータコード２２がメモリ３８に記憶されたデータコードではない場合、すなわち、違うタグを読み取った場合、制御部４０により、リーダーライタ１４による処理を停止する。これにより、複数のタグに、違ったタグが紛れ込んでいても、その違ったタグに表示画像を書き込むことを防止することができる。この場合、操作部４２に警告が、画像または音声等で発せられるようにしてもよい。これにより、使用者にも違うタグであることを知らせることができる。
読み取られたタグ１２のデータコード２２がメモリ３８に記憶されたデータコードである場合には、リーダーライタ１４による処理が継続される。
【００２６】
確認部５４では、上述のようにデータコード２２の一致不一致を判定するものであり、データコード２２がバーコードである場合には、デコード信号を比較することで一致不一致を判定する。
また、データコード２２が文字、記号を含む場合には、例えば、後述のようにパターンマッチング等を用い、閾値を予め設定しておいて、パターンマッチングの際のパターン一致度に基づいてデータコード２２の一致不一致を判定する。
【００２７】
確認部５４は、画像メモリ型表示媒体２４の表示画像２８が適正なものであるかを確認するためのものである。ここで、表示画像２８が適正なものとは、かすれ、欠け等の表示欠陥がないことをいう。
確認部５４では、情報認識部３２で得られた表示画像２８の読取りデータと、表示画像に利用した画像表示信号とを比較する。この比較の方法としては、例えば、パターンマッチング等が用いられる。パターンマッチングの際のパターン一致度に対して閾値を予め設定しておき、パターン一致度が閾値よりも高い場合に適性に表示されていると判定する。一方、パターン一致度が閾値よりも低い場合には適正に表示されていないと判定され、書込み部３４から再度、画像表示信号を送信する。これにより、表示画像２８を適正に表示させることができる。
【００２８】
書込み部３４は、画像メモリ型表示媒体２４に表示画像２８を表示させるための画像表示信号を接触電極部３０から送信させるためのものである。
画像表示信号作成部３６は、画像表示信号を作成するものであり、例えば、メモリ３８に記憶されたデータコードに含まれる情報と対応する画像表示情報に基づき作成される。画像表示信号としては、対象物の所有者、対象物の使用者、対象物の名前、対象物の価格、対象物の期限等を示す表示画像を形成するためのものである。
画像表示信号は、画像表示信号作成部３６で、メモリ３８に記憶されたデータコード２２に含まれる情報と対応する画像表示情報から作成されるものであり、後述のタイミングで書込み部３４から送信される。
【００２９】
画像メモリ型表示媒体２４が電池等の電源部がなくリーダーライタ１４からの給電により、表示部２４ｂに表示画像２８を表示するものである場合、リーダーライタ１４は、画像メモリ型表示媒体２４に給電するための電力供給部を有する。電力供給部は、例えば、画像表示信号作成部３６と書込み部３４で構成される。この場合、画像表示信号作成部３６は、画像表示信号を作成することなく、表示制御部２４ａを駆動させるための予め定められた電圧の直流信号または交流信号を作成し、書込み部３４から、画像表示信号に代えて直流信号または交流信号を送信する。
【００３０】
メモリ３８には、各種の情報が記憶されている。データコード２２の情報に含まれる情報と対応する画像表示情報が記憶されている。例えば、データコード２２の情報が商品名であれば、この商品名に対応する、画像表示情報として、商品名、値段、期限、原産地等の情報が記憶される。また、データコード２２の情報が薬剤名であれば、この薬剤名に対応する、画像表示情報として、投薬される患者の名前が記憶される。
また、メモリ３８には、情報認識部３２で得られたデータコード２２の情報との比較のためのデータコードの情報が記憶されている。上述のように、情報認識部３２で得られたデータコード２２がメモリ３８に記憶されたものでなければ、表示画像の書込みはなされず、誤記入が防止される。
メモリ３８には、情報認識部３２で得られた表示画像２８の読取りデータとの比較のための表示画像の情報が記憶されている。
なお、メモリ３８に記憶されるデータコードの情報等の各種の情報は、用途等に応じて書き換え可能であってもよい。書き換えは、メモリ３８の記録媒体を変える方法でも、有線または無線の通信回線を通じて書き換える方法でもよい。
【００３１】
図８は本発明の実施形態の情報表示システムによる表示画像の書込みの一例を工程順に示すフローチャートである。
例えば、図３に示すように容器１６ａにタグ１２が取り付けられており、このタグ１２にデータコード２２に基づいて、容器１６ａの使用者の情報、例えば、名前の表示画像２８を表示させることを例にして説明する。これにより、例えば、タグ１２への患者名の誤記入が防止され、患者に薬液を投薬する際の誤投薬を防止することができる。
【００３２】
タグ１２の信号受信部２０にリーダーライタ１４の接触電極部３０を接触させる（ステップＳ１０）。このとき、制御部４０で接触電極部３０の導通が検知され、これをトリガにして情報認識部３２でデータコード２２を読み取り（ステップＳ１２）、情報認識部３２の処理部５２でデータコード２２の情報を得る。
次に、情報認識部３２の確認部５４で、読み取られたタグ１２のデータコード２２の情報と、メモリ３８に記憶されたデータコードの情報とが一致するか否かが確認される（ステップＳ１４）。
【００３３】
ステップＳ１４において、読み取られたタグ１２のデータコード２２が不一致の場合には、タグ１２は表示画像を書き込むべきものではないため、リーダーライタ１４による処理を停止し、表示画像２８への表示画像２８の書込みが行われない。この場合、例えば、警告を発し、リーダーライタ１４の使用者に間違ったタグであることを知らせるようにしてもよい。
一方、ステップＳ１４において、読み取られたタグ１２のデータコード２２が一致している場合には、画像表示信号が画像表示信号作成部３６にて作成され、画像表示信号が書込み部３４から接触電極部３０を介してタグ１２の信号受信部２０を経て、画像メモリ型表示媒体２４の表示制御部２４ａに送信される（ステップＳ１６）。
送信された画像表示信号に基づいて、表示部２４ｂに表示画像２８が表示される（ステップＳ１８）。
【００３４】
次に、表示画像２８を情報認識部３２で読み取り、表示画像２８の読取データを得る。この読取りデータを、上述のように確認部５４で画像表示信号と比較し、表示画像２８が適正であるか否かが確認される（ステップＳ２０）。
ステップＳ２０において、表示画像２８が適正であると判定されれば、タグ１２への表示画像２８の表示の一連の工程は終了である。表示画像２８は表示され続ける。
一方、ステップＳ２０において、表示画像２８にかすれ、欠け等があり、表示画像２８が不適正と判定された場合、画像表示信号が再度送信され（ステップＳ１６）、画像メモリ型表示媒体２４への表示画像２８の表示（ステップＳ１８）、リーダーライタ１４での表示画像２８の確認（ステップＳ２０）が、表示画像２８が適正であると判定されるまで繰り返しなされる。
【００３５】
以上のようなことから、例えば、複数種の薬剤があり、タグ１２のデータコード２２の情報として薬剤名が記録され、リーダーライタ１４のメモリ３８に、患者と投薬する薬剤名とが対応付けて記憶されている場合では、複数種の薬剤のうち、データコード２２が一致する、患者に投薬する薬剤のタグ１２に患者名が表示される。一方、患者に投薬しない薬剤については、データコード２２が一致しないため、患者名はタグ１２に表示されない。このようにして、薬剤への誤書込みを防止することができる。
【００３６】
上述の例では、ステップＳ１４において、読み取られたタグ１２のデータコード２２の情報とメモリ３８に記憶されたデータコードの情報を比較したが、これに限定されるものではない。例えば、予め一致不一致を確認する対象を決めておいてもよい。具体的には、上述のステップＳ１０の前に、対象データコードの情報を取得し、メモリ３８に記憶させておく。例えば、対象データコードがバーコードであれば、バーコードをリーダーライタ１４で読み取り、対象データコードの情報をメモリ３８に記憶させる。この状態で、上述のステップＳ１０からの処理を行う。これにより、比較するデータコードの情報を減らすことができる。
【００３７】
情報表示システム１０では、タグ１２とリーダーライタ１４とを接触させる接触方式にて表示画像２８を得る構成としているため、無線方式とは異なり、接触させていない他のタグに表示画像が書き込まれることが防止される。また、タグ１２についても接触させていない他のタグの情報を読み取ることが防止される。これにより、タグ１２への表示画像２８の誤書込みを防止することができ、例えば、投薬に利用された場合には、薬剤名と患者を一致させることができ、誤投薬を防止することができる。
上述のように接触方式とすることで、受信回路等が必要な無線方式に比してタグ１２の構成を簡素化でき、タグ１２を安くできる。このため、タグ１２を使い捨てにすることもできる。
【００３８】
本発明は、基本的に以上のように構成されるものである。以上、本発明の情報表示システムについて詳細に説明したが、本発明は上述の実施形態に限定されず、本発明の主旨を逸脱しない範囲において、種々の改良または変更をしてもよいのはもちろんである。
【符号の説明】
【００３９】
１０  情報表示システム
１２  タグ
１４  リーダーライタ
１６ａ  容器
１６ｂ  円筒容器
１６ｃ  シート
１８  筐体
２０  信号受信部
２１  電極
２２  データコード
２４  画像メモリ型表示媒体
２４ａ  表示制御部
２４ｂ  表示部
２６  シート体
２８  表示画像
３０  接触電極部
３２  情報認識部
３４  書込み部
３６  画像表示信号作成部
３８  メモリ
４０  制御部
４２  操作部
５０  光学式読取部
５２  処理部
５４  確認部
Ｓ１０  ステップ
Ｓ１２  ステップ
Ｓ１４  ステップ
Ｓ１６  ステップ
Ｓ１８  ステップ
Ｓ２０  ステップ
【図１】
2016194657.tif 000003
【図２】
2016194657.tif 000004
【図３】
2016194657.tif 000005
【図４】
2016194657.tif 000006
【図５】
2016194657.tif 000007
【図６】
2016194657.tif 000008
【図７】
2016194657.tif 000009
【図８】
2016194657.tif 000010
【手続補正書】
【提出日】平成29年11月14日(2017.11.14)
【手続補正１】
【補正対象書類名】明細書
【補正対象項目名】００３０
【補正方法】変更
【補正の内容】
【００３０】
メモリ３８には、各種の情報が記憶されている。データコード２２に含まれる情報と対応する画像表示情報が記憶されている。例えば、データコード２２の情報が商品名であれば、この商品名に対応する、画像表示情報として、商品名、値段、期限、原産地等の情報が記憶される。また、データコード２２の情報が薬剤名であれば、この薬剤名に対応する、画像表示情報として、投薬される患者の名前が記憶される。
また、メモリ３８には、情報認識部３２で得られたデータコード２２の情報との比較のためのデータコードの情報が記憶されている。上述のように、情報認識部３２で得られたデータコード２２がメモリ３８に記憶されたものでなければ、表示画像の書込みはなされず、誤記入が防止される。
メモリ３８には、情報認識部３２で得られた表示画像２８の読取りデータとの比較のための表示画像の情報が記憶されている。
なお、メモリ３８に記憶されるデータコードの情報等の各種の情報は、用途等に応じて書き換え可能であってもよい。書き換えは、メモリ３８の記録媒体を変える方法でも、有線または無線の通信回線を通じて書き換える方法でもよい。
【手続補正２】
【補正対象書類名】明細書
【補正対象項目名】００３３
【補正方法】変更
【補正の内容】
【００３３】
ステップＳ１４において、読み取られたタグ１２のデータコード２２が不一致の場合には、タグ１２は表示画像を書き込むべきものではないため、リーダーライタ１４による処理を停止し、タグ１２への表示画像２８の書込みが行われない。この場合、例えば、警告を発し、リーダーライタ１４の使用者に間違ったタグであることを知らせるようにしてもよい。
一方、ステップＳ１４において、読み取られたタグ１２のデータコード２２が一致している場合には、画像表示信号が画像表示信号作成部３６にて作成され、画像表示信号が書込み部３４から接触電極部３０を介してタグ１２の信号受信部２０を経て、画像メモリ型表示媒体２４の表示制御部２４ａに送信される（ステップＳ１６）。
送信された画像表示信号に基づいて、表示部２４ｂに表示画像２８が表示される（ステップＳ１８）。
【国際調査報告】
2016194657.tif 000011
2016194657.tif 000012
2016194657.tif 000013
2016194657.tif 000014